(57)【要約】【課題】ＢＡ型レシーバを備えた挿入型イヤホンにおいて、低音域における聴感上の音量感を十分に確保する。【解決手段】レシーバユニット１２を、レシーバ本体５０（ＢＡ型レシーバ）が筐体２０に収容された構成とする。その際、レシーバ本体５０のハウジング５６に、その背面空間ＣＲを外部空間と連通させる小孔６６ａを形成する。また、筐体２０を、先端部に音導管１６が設けられた筒状フレーム３２と、この筒状フレーム３２に基端部側から挿入固定されたガスケット３６とを備えた構成とする。そして、レシーバ本体５０を、その放音孔６４ａと小孔６６ａとを隔離する態様でガスケット３６に挿入固定する。また、ガスケット３６に、放音孔６４ａと音導管１６の音道１６ａとを連通させる連通孔３６ｅを形成する。さらに、レシーバ本体５０と筐体２０との間に、小孔６６ａと連通するとともに音道１６ａとは隔離された背圧調整用の第１密閉空間Ｃ１を形成する。【選択図】図１
2008193449.tif 000002
【特許請求の範囲】
【請求項１】
音導管を有するレシーバユニットと、このレシーバユニットの音導管に装着されたイヤーチップとを備えてなり、上記イヤーチップを外耳道に挿入した状態で使用するように構成された挿入型イヤホンにおいて、
上記レシーバユニットが、レシーバ本体と、このレシーバ本体を収容する筐体とを備えてなり、
上記レシーバ本体が、ダイヤフラムと、このダイヤフラムを振動させる駆動ユニットと、これらダイヤフラムおよび駆動ユニットを収容した状態で、上記ダイヤフラムの両側に正面空間および背面空間を形成するハウジングとを備え、かつ、上記ハウジングに上記正面空間を上記レシーバ本体の外部空間と連通させる放音孔が形成されてなるバランスドアーマチャ型レシーバとして構成されており、
上記レシーバ本体のハウジングに、上記背面空間を上記外部空間と連通させる小孔が形成されており、
上記筐体が、先端部に上記音導管が設けられた筒状フレームと、この筒状フレームの基端部側から該筒状フレームに挿入固定されたガスケットとを備えており、
上記レシーバ本体が、上記放音孔と上記小孔とを隔離する態様で、上記ガスケットに挿入固定されており、
上記ガスケットに、上記放音孔と上記音導管の音道とを連通させる連通孔が形成されており、
上記レシーバ本体と上記筐体との間に、上記小孔と連通するとともに上記音道とは隔離された背圧調整用の第１密閉空間が形成されている、ことを特徴とする挿入型イヤホン。
【請求項２】
上記第１密閉空間が、上記筐体内における上記レシーバ本体よりも基端部側に形成された第１主空間と、上記レシーバ本体と上記ガスケットとの間において上記第１主空間と上記小孔とを連通させるように形成された第１連通路とからなる、ことを特徴とする請求項１記載の挿入型イヤホン。
【請求項３】
上記レシーバ本体のハウジングに、上記放音孔を囲むようにして形成された放音ノズルが取り付けられており、
上記レシーバ本体が上記ガスケットに挿入固定されたとき、上記放音ノズルが上記ガスケットの連通孔に圧入されるように構成されている、ことを特徴とする請求項１または２記載の挿入型イヤホン。
【請求項４】
上記筒状フレームと上記ガスケットとの間に、上記音道と連通する音響調整用の第２密閉空間が形成されている、ことを特徴とする請求項１〜３いずれか記載の挿入型イヤホン。
【請求項５】
上記第２密閉空間が、上記筒状フレームの内周面と上記ガスケットとの間に形成された第２主空間と、上記筒状フレームの端面と上記ガスケットの端面との間において上記第２主空間と上記音道とを連通させるように形成された第２連通路とからなる、ことを特徴とする請求項４記載の挿入型イヤホン。
【請求項６】
上記音導管に音響フィルタが設けられている、ことを特徴とする請求項１〜５いずれか記載の挿入型イヤホン。
【請求項７】
音導管を有するレシーバユニットと、このレシーバユニットの音導管に装着されたイヤーチップとを備えてなり、上記イヤーチップを外耳道に挿入した状態で使用するように構成された挿入型イヤホンにおいて、
上記レシーバユニットが、レシーバ本体と、このレシーバ本体を収容する筐体とを備えてなり、
上記レシーバ本体が、ダイヤフラムと、このダイヤフラムを振動させる駆動ユニットと、これらダイヤフラムおよび駆動ユニットを収容した状態で、上記ダイヤフラムの両側に正面空間および背面空間を形成するハウジングとを備え、かつ、上記ハウジングに上記正面空間を上記レシーバ本体の外部空間と連通させる放音孔が形成されてなるバランスドアーマチャ型レシーバとして構成されており、
上記筐体が、先端部に上記音導管が設けられた筒状フレームと、この筒状フレームの基端部側から該筒状フレームに挿入固定されたガスケットとを備えており、
上記ガスケットに、上記放音孔と上記音導管の音道とを連通させる連通孔が形成されており、
上記筒状フレームと上記ガスケットとの間に、上記音道と連通する音響調整用の密閉空間が形成されている、ことを特徴とする挿入型イヤホン。
【発明の詳細な説明】
【技術分野】
【０００１】
本願発明は、挿入型イヤホンに関するものであり、特に、そのレシーバユニットの構成に関するものである。
【背景技術】
【０００２】
一般に、挿入型イヤホンは、音導管を有するレシーバユニットと、このレシーバユニットの音導管に装着されたイヤーチップとを備えてなり、そのイヤーチップを外耳道に挿入した状態で使用するように構成されている。そして、この挿入型イヤホンのレシーバユニットは、レシーバ本体とこれを収容する筐体とを備えた構成となっている。
【０００３】
「特許文献１」には、このような挿入型イヤホンにおけるレシーバユニットのレシーバ本体として、バランスドアーマチャ型レシーバ（以下「ＢＡ型レシーバ」ともいう）を用いたものが記載されている。
【０００４】
このＢＡ型レシーバは、ダイヤフラムおよびこれを振動させる駆動ユニットがハウジングに収容された構成となっている。そして、このＢＡ型レシーバにおいては、そのダイヤフラムの両側に正面空間および背面空間が形成されており、そのハウジングには正面空間をレシーバ本体の外部空間と連通させる放音孔が形成されている。
【０００５】
【特許文献１】特開２００３−１４３６８４号公報
【発明の開示】
【発明が解決しようとする課題】
【０００６】
挿入型イヤホンのレシーバ本体としてＢＡ型レシーバを用いることにより、挿入型イヤホンとしての着用時、低音域において比較的平坦な周波数特性を得ることが可能となる。
【０００７】
しかしながら、このＢＡ型レシーバは、その背面空間が密閉空間として形成されているので、挿入型イヤホンとしての着用時、聴感上の音量感を十分に確保することが難しい、という問題がある。
【０００８】
本願発明は、このような事情に鑑みてなされたものであって、ＢＡ型レシーバを備えた挿入型イヤホンにおいて、低音域における聴感上の音量感を十分に確保することができる挿入型イヤホンを提供することを目的とするものである。
【課題を解決するための手段】
【０００９】
本願発明は、レシーバユニットの構成に工夫を施すことにより、上記目的達成を図るようにしたものである。
【００１０】
すなわち、本願発明に係る挿入型イヤホンは、
音導管を有するレシーバユニットと、このレシーバユニットの音導管に装着されたイヤーチップとを備えてなり、上記イヤーチップを外耳道に挿入した状態で使用するように構成された挿入型イヤホンにおいて、
上記レシーバユニットが、レシーバ本体と、このレシーバ本体を収容する筐体とを備えてなり、
上記レシーバ本体が、ダイヤフラムと、このダイヤフラムを振動させる駆動ユニットと、これらダイヤフラムおよび駆動ユニットを収容した状態で、上記ダイヤフラムの両側に正面空間および背面空間を形成するハウジングとを備え、かつ、上記ハウジングに上記正面空間を上記レシーバ本体の外部空間と連通させる放音孔が形成されてなるバランスドアーマチャ型レシーバとして構成されており、
上記レシーバ本体のハウジングに、上記背面空間を上記外部空間と連通させる小孔が形成されており、
上記筐体が、先端部に上記音導管が設けられた筒状フレームと、この筒状フレームの基端部側から該筒状フレームに挿入固定されたガスケットとを備えており、
上記レシーバ本体が、上記放音孔と上記小孔とを隔離する態様で、上記ガスケットに挿入固定されており、
上記ガスケットに、上記放音孔と上記音導管の音道とを連通させる連通孔が形成されており、
上記レシーバ本体と上記筐体との間に、上記小孔と連通するとともに上記音道とは隔離された背圧調整用の第１密閉空間が形成されている、ことを特徴とするものである。
【００１１】
上記「駆動ユニット」は、正面空間に配置されていてもよいし、背面空間に配置されていてもよい。
【００１２】
上記「筒状フレーム」は、筒状に形成された部材であれば、その断面形状は特に限定されるものではない。すなわち、この「筒状フレーム」の断面形状としては、例えば、円形、矩形、楕円形等が採用可能である。
【００１３】
上記「音導管」は、筒状フレーム自体により構成されたものであってもよいし、筒状フレームに別部材を取り付けることにより構成されたものであってもよい。
【００１４】
上記「放音孔」および上記「小孔」は、レシーバ本体がガスケットに挿入固定されたときに、互いに隔離される位置関係にあれば、それぞれの具体的な配置は特に限定されるものではない。
【００１５】
上記「第１密閉空間」は、完全な密閉空間であってよいことはもちろんであるが、背圧調整を図り得る範囲内であれば、必ずしも完全な密閉空間でなくてもよい。後者の具体例としては、筐体内におけるレシーバ本体よりも基端部側に形成された主空間と、レシーバ本体とガスケットとの間において主空間と小孔とを連通させるように形成された第１の連通路と、主空間と外部空間とを連通させるように形成された第２の連通路とからなる構成とすることが可能である。
【発明の効果】
【００１６】
上記構成に示すように、本願発明に係る挿入型イヤホンにおいては、そのレシーバ本体のハウジングに、レシーバ本体の背面空間をレシーバ本体の外部空間と連通させる小孔が形成されており、そして、このレシーバ本体は、その放音孔と小孔とを隔離する態様でガスケットに挿入固定されているので、レシーバ本体の背面空間の弾性を弱めることができ、これによりダイヤフラムを動きやすくすることができる。
【００１７】
その際、単に小孔が形成されているだけでは、音圧感度が低音域（すなわち最低共振周波数以下の帯域）で一様に上昇してしまい、また、最低共振周波数が低音側にずれてしまうとともにその音圧レベルが低下してしまうので、メリハリのある音質を得ることができなくなってしまう。
【００１８】
その点、本願発明に係る挿入型イヤホンにおいては、そのレシーバ本体と筐体との間に、小孔と連通するとともに音導管の音道とは隔離された背圧調整用の第１密閉空間が形成されているので、この第１密閉空間を、ダイヤフラムの動きを制限するための音響負荷として機能させることができる。そしてこれにより、低音域における音圧感度をある程度上昇させるようにした上で、最低共振周波数のずれおよびこの最低共振周波数における音圧レベルの低下を抑制することが可能となり、これによりメリハリのある音質を得ることができる。
【００１９】
このように本願発明によれば、ＢＡ型レシーバを備えた挿入型イヤホンにおいて、低音域における聴感上の音量感を十分に確保することができる。しかもこれを、高音域の周波数特性に影響を及ぼすことなく実現することができる。また、このような作用効果を、電気回路を使用せずに、レシーバユニットの音響要素を調整するだけで容易に得ることができる。
【００２０】
上記構成において、第１密閉空間を、筐体内におけるレシーバ本体よりも基端部側に形成された第１主空間と、レシーバ本体とガスケットとの間において第１主空間と小孔とを連通させるように形成された第１連通路とからなる構成とすれば、低音域における所定周波数未満の帯域では音圧感度を十分上昇させるようにした上で、低音域における所定周波数以上の帯域では音圧感度の上昇を抑制することができる。そしてこれにより、一層メリハリのある音質を得ることができる。
【００２１】
その際、第１連通路の断面積およびその長さを適宜調整するようにすれば、上記所定周波数の値を調整することができ、これにより所望の音質を得ることが容易に可能となる。
【００２２】
上記構成において、レシーバ本体のハウジングに、放音孔を囲むようにして形成された放音ノズルが取り付けられた構成とし、そして、このレシーバ本体がガスケットに挿入固定されたときに、放音ノズルがガスケットの連通孔に圧入される構成とすれば、レシーバ本体の放音孔と小孔とを隔離を、放音ノズルとガスケットとの当接作用により容易かつ確実に行うことができる。
【００２３】
上記構成において、筒状フレームとガスケットとの間に、音導管の音道と連通する音響調整用の第２密閉空間が形成された構成とすれば、次のような作用効果を得ることができる。
【００２４】
すなわち、挿入型イヤホンにおいては、その音導管の共鳴により特定周波数にピーク音圧が発生しやすい。そして、このようなピーク音圧が発生すると、特定周波数の音のみが強調されて聴取音が耳障りな音になってしまう、という問題がある。
【００２５】
このようなピーク音圧を低減させるため、挿入型イヤホンにおいては、その音導管に音響フィルタが設けられた構成となっていることが少なくない。しかしながら、この音響フィルタはメッシュ材料等で構成されるため、小音量での聴取時には篭ったような音質になってしまう、という問題がある。
【００２６】
これに対し、筒状フレームとガスケットとの間に、音導管の音道と連通する音響調整用の第２密閉空間が形成された構成とすれば、この第２密閉空間を、ピーク音圧を発生させる周波数成分を取り除くノッチフィルタとして機能させることができる。そしてこれにより、音響フィルタを設けることを必要とせずに（すなわち小音量での聴取時にも篭ったような音質になってしまわないようにした上で）、ピーク音圧を低減させることができる。
【００２７】
このようにした場合において、第２密閉空間を、筒状フレームの内周面とガスケットとの間に形成された第２主空間と、筒状フレームの端面とガスケットの端面との間において第２主空間と音道とを連通させるように形成された第２連通路とからなる構成とすれば、周波数成分の選択性を高めることができ、これによりノッチフィルタとして機能を高めることができる。
【００２８】
なお、このようにした場合において、さらに音導管に音響フィルタが設けられた構成とすることも可能である。このように第２密閉空間と音響フィルタとを併用することにより、音響フィルタを設けたことによる弊害を実質的に問題のないレベルまで抑えるとともに第２密閉空間の形成を容易化した上で、ピーク音圧の低減を図ることができる。
【００２９】
なお、このように音響フィルタを設けるようにした場合において、この音響フィルタの配設位置は特に限定されるものではなく、音導管の先端部であってもよいし、その基端部であってもよいし、その中間部であってもよい。
【００３０】
ところで、上記構成において、レシーバ本体のハウジングに上記小孔が形成されていないとした場合であっても、筒状フレームとガスケットとの間に、音道と連通する音響調整用の密閉空間が形成された構成とすれば、周波数成分の選択性を高めることができ、これによりノッチフィルタとして機能を高めることができる。
【発明を実施するための最良の形態】
【００３１】
以下、図面を用いて、本願発明の実施の形態について説明する。
【００３２】
図１は、本願発明の一実施形態に係る挿入型イヤホン１０を、右向きに配置した状態で示す側断面図である。図２は、図１の要部詳細図である。また、図３は、この挿入型イヤホン１０を、その主要構成要素に分解して示す分解斜視図である。
【００３３】
これらの図に示すように、本実施形態に係る挿入型イヤホン１０は、音導管１６を有するレシーバユニット１２と、このレシーバユニット１２の音導管１６に装着されたイヤーチップ１４とからなり、そのイヤーチップ１４を外耳道に挿入した状態で使用するようになっている。
【００３４】
レシーバユニット１２は、前後方向に延びる円筒状の外形形状を有しており、その前端部（図１において右端部）に上記音導管１６が設けられている。
【００３５】
レシーバユニット１２は、レシーバ本体５０と、このレシーバ本体５０を収容する筐体２０と、この筐体２０内に、レシーバ本体５０と共に収容されたスペーサ２２およびフレキシブルプリント基板２４と、このフレキシブルプリント基板２４を介してレシーバ本体５０に接続されたプラグ付ケーブル２６とを備えてなっている。
【００３６】
まず、レシーバ本体５０の構成について説明する。
【００３７】
図５は、レシーバ本体５０を単品で示す側断面図である。ただし、このレシーバ本体５０は、同図に示す状態から上下反転させた状態で筐体２０に収容されるようになっている。
【００３８】
同図に示すように、このレシーバ本体５０は、ダイヤフラム５２と、このダイヤフラム５２を振動させる駆動ユニット５４と、これらダイヤフラム５２および駆動ユニット５４を収容するハウジング５６と、このハウジング５６に固定された放音ノズル５８とからなるバランスドアーマチャ型レシーバとして構成されている。
【００３９】
ハウジング５６は、ダイヤフラム５２を支持する矩形フレーム６２と、この矩形フレーム６２に対して上方側から固定されたトップハウジング６４と、矩形フレーム６２に対して下方側から固定されたボトムハウジング６６とからなり、略直方体の外形形状を有している。
【００４０】
このハウジング５６においては、そのトップハウジング６４によりダイヤフラム５２の上側に正面空間ＣＦを形成するとともに、そのボトムハウジング６６によりダイヤフラム５２の下側に背面空間ＣＲを形成するようになっている。
【００４１】
トップハウジング６４には、その前面壁の左右方向中央部に、正面空間ＣＦをレシーバ本体５０の外部空間と連通させる放音孔６４ａが形成されている。この放音孔６４ａは、横長スリット状に形成されている。
【００４２】
また、ボトムハウジング６６には、その下面壁の前端近傍における左右方向中央部に、背面空間ＣＲをレシーバ本体５０の外部空間と連通させる小孔６６ａが形成されている。この小孔６６ａは、円形状に形成されている。
【００４３】
駆動ユニット５４は、背面空間ＣＲに収容されている。
【００４４】
この駆動ユニット５４は、水平方向に延びる帯板状のアーマチャ６８を有するアーマチャフレーム７０と、ボビン７２と、上下１対のマグネット７４と、磁性ホルダ７６と、励磁コイル７８と、連結片８０と、左右１対の端子部材８２とからなり、次のように駆動するようになっている。
【００４５】
すなわち、この駆動ユニット５４は、その１対のマグネット７４間に、この間隙を上下方向に横断する直流磁界が定常的に形成されるようになっている。この状態において、励磁コイル７８に信号電流が印加されると、この励磁コイル７８を貫通するアーマチャ６８に信号電流に応じた磁束が発生し、このアーマチャ６８と両マグネット７４間に交流磁界が形成される。そして、この交流磁界が上記直流磁界に重畳されることにより、信号電流に応じた上下方向の力がアーマチャ６８に作用し、これによりアーマチャ６８が上下方向に撓み変形する。これに伴い、アーマチャ６８の先端面に固定された連結片８０が、図中矢印で示すように上下方向に変位する。そして、この連結片８０の変位が、その上端部に連結固定されたダイヤフラム５２に伝達されることにより、ダイヤフラム５２が振動するようになっている。これにより、レシーバ本体５０としては、信号電流に応じた音波を発生させ、この音波を放音孔６４ａを介して外部へ放射するようになっている。
【００４６】
１対の端子部材８２は、ボトムハウジング６６の下面壁における後端近傍に形成された左右１対の貫通孔（図示せず）を介して下方へ突出している。その際、これら各貫通孔は、各端子部材８２を支持するボビン７２の下端部が該貫通孔に圧入されることにより閉塞されるようになっている。
【００４７】
放音ノズル５８は、放音孔６４ａを囲むようにしてハウジング５６の前端部に固定された部材であって、その先端部５８Ａは円筒状に形成されており、その基端部５８Ｂは、トップハウジング６４およびボトムハウジング６６に跨るように形成されている。そして、この放音ノズル５８は、放音孔６４ａから放射される音波をハウジング５６の前面壁の上下方向中央寄りの位置に導いて前方へ差し向けるようになっている。
【００４８】
次に、筐体２０の構成について説明する。
【００４９】
図１〜３に示すように、この筐体２０は、先端部（すなわち前端部）に小径円筒部３２ａが形成された略円筒状の筒状フレーム３２と、この筒状フレーム３２の小径円筒部３２ａに前方側から挿入固定された略円筒状の内筒部材３４と、筒状フレーム３２の基端部側（すなわち後端部側）から該筒状フレーム３２に挿入固定されたガスケット３６と、筒状フレーム３２の基端部に固定された有底円筒状のキャップ３８と、筒状フレーム３２とキャップ３８との間に装着されたケーブル引出し部材４０とからなっている。そして、この筐体２０においては、その筒状フレーム３２の小径円筒部３２ａおよび内筒部材３４により、上記音導管１６が構成されるようなっている。
【００５０】
筒状フレーム３２、内筒部材３４およびキャップ３８は、アルミニウムや硬質樹脂等の硬質材料で構成されており、ガスケット３６およびケーブル引出し部材４０は、シリコーン樹脂あるいはラバー等の軟質材料で構成されている。
【００５１】
ガスケット３６は、全体として略有底円筒状に形成されている。このガスケット３６の円筒部３６Ａの外径は、筒状フレーム３２の内径よりも僅かに小さい値に設定されている。このガスケット３６の外周面には、前後方向に所定間隔をおいて複数の環状リブ３６ａが形成されている。これら各環状リブ３６ａは、その断面形状が略半円弧状に設定されており、その最大径（すなわち頂点位置における径）は、筒状フレーム３２の内径よりも僅かに大きい値に設定されている。
【００５２】
このガスケット３６は、その端面壁３６Ｂが前方側に位置するようにした状態で、筒状フレーム３２に対して圧入により挿入固定されている。そして、このガスケット３６は、筒状フレーム３２に挿入固定された状態では、各環状リブ３６ａが多少圧縮変形し、これによりガスケット３６と筒状フレーム３２との間のシールを図るようになっている。
【００５３】
このガスケット３６の円筒部３６Ａの外周面における端面壁３６Ｂ寄りの部分には、断面弓形で前後所定長にわたって切り取られた切欠き部３６ｂが形成されている。
【００５４】
このガスケット３６には、断面略矩形状のレシーバ本体収容部３６ｃが形成されている。このレシーバ本体収容部３６ｃは、レシーバ本体５０のハウジング５６と略同一の断面形状を有している。そして、レシーバ本体５０は、図５に示す状態から上下反転させた状態で、図４において斜視図で詳細に示すように、レシーバ本体収容部３６ｃに対して、その後方側から圧入により挿入固定されるようになっている。
【００５５】
このガスケット３６におけるレシーバ本体収容部３６ｃの後端上部は、断面弓形で前後所定長にわたって切り取られた切欠き部３６ｄとして形成されており、これにより１対の端子部材８２との干渉を回避するようになっている。
【００５６】
ガスケット３６の端面壁３６Ｂにおける中央よりもやや下方に位置する部位には、放音孔６４ａと音導管１６の音道１６ａとを連通させる連通孔３６ｅが形成されている。この連通孔３６ｅは、レシーバ本体５０における放音ノズル５８の先端部５８Ａの外径よりも僅かに小さい内径を有している。そして、レシーバ本体収容部３６ｃにレシーバ本体５０が挿入固定されたとき、この連通孔３６ｅに放音ノズル５８の先端部５８Ａが圧入されるとともにガスケット３６の端面壁３６Ｂに放音ノズル５８の基端部５８Ｂが当接し、これにより放音孔６４ａと小孔６６ａとを確実に隔離するようになっている。
【００５７】
レシーバ本体５０と筐体２０との間には、小孔６６ａと連通するとともに音道１６ａとは隔離された背圧調整用の第１密閉空間Ｃ１が形成されている。
【００５８】
この第１密閉空間Ｃ１は、筐体２０内におけるレシーバ本体５０よりも基端部側に形成された第１主空間Ｃ１Ａと、レシーバ本体５０とガスケット３６との間において第１主空間Ｃ１Ａと小孔６６ａとを連通させるように形成された第１連通路Ｃ１Ｂとからなっている。その際、第１連通路Ｃ１Ｂは、ガスケット３６におけるレシーバ本体収容部３６ｃの上部に、その前端縁から後方へ向けて延びる凹溝３６ｆを形成することにより構成されている。この第１連通路Ｃ１Ｂは、その断面形状が略半円弧状に設定されている。
【００５９】
ガスケット３６における端面壁３６Ｂの前面には、Ｃ字状の端面リブ３６ｇが形成されている。この端面リブ３６ｇは、その断面形状が略半円弧状に設定されており、円筒部３６Ａの中心軸線を中心とする円に沿って形成されているが、その上端部は部分的に欠けている。そしてこれにより、ガスケット３６が筒状フレーム３２に挿入固定されたとき、端面リブ３６ｇが筒状フレーム３２の端面３２ｂに当接して、筒状フレーム３２とガスケット３６との間に、音導管１６の音道１６ａと連通する音響調整用の第２密閉空間Ｃ２を形成するようになっている。
【００６０】
すなわち、この第２密閉空間Ｃ２は、筒状フレーム３２の内周面とガスケット３６との間に形成された第２主空間Ｃ２Ａと、筒状フレーム３２の端面とガスケット３６の端面との間に第２主空間Ｃ２Ａと音道１６ａとを連通させるように形成された第２連通路Ｃ２Ｂとからなっている。
【００６１】
筒状フレーム３２は、その基端部３２ｃがやや小径で形成されるとともに、その上部および下部にＵ字溝３２ｄがそれぞれ形成されている。
【００６２】
ケーブル引出し部材４０は、筒状フレーム３２と同一の外径を有する環状部４０Ａと、この環状部４０Ａから下方へ延びるケーブル収容部４０Ｂとからなっている。
【００６３】
環状部４０Ａにおける上部および下部には、断面弓形の突起部４０ａがそれぞれ形成されており、これら各突起部４０ａにおいて筒状フレーム３２の各Ｕ字溝３２ｄに係合固定されるようになっている。
【００６４】
ケーブル収容部４０Ｂには、プラグ付ケーブル２６が挿通支持されている。
【００６５】
このプラグ付ケーブル２６は、その下端部にプラグ（図示せず）が取り付けられており、その上端部に結び目２６ａが形成されている。この結び目２６ａは、環状部４０Ａの内部に位置している。そして、このプラグ付ケーブル２６における結び目２６ａの下側にはワッシャ４２が取り付けられており、このワッシャ４２が下側の突起部４０ａの上面に当接するようになっている。
【００６６】
このプラグ付ケーブル２６の上端部からは、１対のリード線２６ｂが延びている。そして、これら各リード線２６ｂは、フレキシブルプリント基板２４にハンダ付けにより導通固定されている。
【００６７】
このフレキシブルプリント基板２４は、前方へ向けて水平に延びている。そして、このフレキシブルプリント基板２４の前端部には、レシーバ本体５０の各端子部材８２がハンダ付けにより導通固定されている。
【００６８】
スペーサ２２は、横長小判形の断面形状で前後方向に延びるブロック状部材として構成されている。このスペーサ２２は、シリコーン樹脂あるいはラバー等の軟質材料で構成されており、前後方向に幾分弾性圧縮変形した状態で、ケーブル引出し部材４０の環状部４０Ａ内に配置されている。その際、このスペーサ２２は、その前端面がレシーバ本体５０に当接するとともに、その後端面がプラグ付ケーブル２６の結び目２６ａに当接しており、そして、この結び目２６ａはキャップ３８に当接している。そしてこれにより、スペーサ２２は、レシーバ本体５０をガスケット３６の端面壁３６Ｂへ向けて弾性的に押圧するようになっている。
【００６９】
キャップ３８は、ケーブル引出し部材４０の環状部４０Ａと嵌合した状態で、筒状フレーム３２の基端部３２ｃに係合固定されている。そしてこれにより、筐体２０内に第１密閉空間Ｃ１を形成するようになっている。
【００７０】
内筒部材３４は、その前端部寄りの部分が僅かに大きい外径を有しており、その前端部には大径のフランジ部３４ａが形成されている。そして、この内筒部材３４は、筒状フレーム３２の小径円筒部３２ａに対して、その前方側から挿入固定されている。
【００７１】
この内筒部材３４のフランジ部３４ａには、音響フィルタ４４が取り付けられている。この音響フィルタ４４は、メッシュ材料もしくは不織布等からなる円板状の部材であって、環状の両面テープ４６を介して内筒部材３４のフランジ部３４ａに貼着されている。その際、この音響フィルタ４４は、そのメッシュ材料として比較的音響抵抗の小さいものが用いられている。
【００７２】
図６および７は、本実施形態に係る挿入型イヤホン１０の作用を説明するための図であって、音圧レベル周波数特性を示す図である。
【００７３】
まず、図６について説明する。
【００７４】
同図において細い実線で示すグラフは、本実施形態に係る挿入型イヤホン１０において、仮に、背圧調整用の第１密閉空間Ｃ１および音響調整用の第２密閉空間Ｃ２のいずれもが形成されていない、とした場合（すなわち通常の挿入型イヤホンであるとした場合）の音圧レベル周波数特性を示すグラフである。
【００７５】
また、同図において２点差線で示すグラフは、本実施形態に係る挿入型イヤホン１０において、仮に、背圧調整用の第１密閉空間Ｃ１および音響調整用の第２密閉空間Ｃ２のいずれもが形成されておらず、レシーバ本体５０のハウジング５６に、開放空間と連通する小孔６６ａが形成されている、とした場合の音圧レベル周波数特性を示すグラフである。
【００７６】
そして、同図において太い実線で示すグラフは、本実施形態に係る挿入型イヤホン１０において、仮に、背圧調整用の第１密閉空間Ｃ１のみが形成されていて、音響調整用の第２密閉空間Ｃ２は形成されていない、とした場合の音圧レベル周波数特性を示すグラフである。
【００７７】
同図において、細い実線のグラフと２点差線のグラフとの比較から明らかなように、レシーバ本体５０のハウジング５６に小孔６６ａを形成した場合には、通常の挿入型イヤホンの場合に比して、低音域における音圧感度が上昇している。これは、背面空間ＣＲの弾性が弱まり、ダイヤフラム５２が動きやすくなることによるものである。そしてこれにより、聴感上の音量感が改善されることとなる。しかしながら、このようにした場合には、最低共振周波数（具体的には２０００〜２５００Ｈｚ程度の範囲内の値）が低音側にずれてしまい、また最低共振周波数における音圧レベルが低下してしまうこととなる。
【００７８】
これに対し、同図において太い実線のグラフで示すように、背圧調整用の第１密閉空間Ｃ１が形成されている場合には、低音域における音圧感度がある程度上昇しており、かつ、最低共振周波数のずれおよびその音圧レベルの低下が抑制されている。しかも、低音域における所定周波数（具体的には２００〜４００Ｈｚ程度の範囲内の値）未満の帯域では音圧感度が十分上昇した状態に維持された上で、低音域における所定周波数以上の帯域では音圧感度の上昇が抑制されている。このため、低音域における聴感上の音量感が改善されるとともに、十分にメリハリのある音質が得られることとなる。
【００７９】
次に、図７について説明する。
【００８０】
同図において細い実線で示すグラフは、図６の場合と同様、通常の挿入型イヤホンの場合における音圧レベル周波数特性を示すグラフである。
【００８１】
また、同図において破線で示すグラフは、図６において太い実線で示したグラフに対応するグラフである。すなわち、この破線で示すグラフは、本実施形態に係る挿入型イヤホン１０において、仮に、背圧調整用の第１密閉空間Ｃ１のみが形成されていて、音響調整用の第２密閉空間Ｃ２は形成されていない、とした場合の音圧レベル周波数特性を示すグラフである。
【００８２】
そして、同図において太い実線で示すグラフは、本実施形態に係る挿入型イヤホン１０における音圧レベル周波数特性を示すグラフである。すなわち、この太い実線で示すグラフは、背圧調整用の第１密閉空間Ｃ１および音響調整用の第２密閉空間Ｃ２がいずれも形成されている場合の音圧レベル周波数特性を示すグラフである。
【００８３】
同図において細い実線のグラフあるいは破線のグラフで示すように、音響調整用の第２密閉空間Ｃ２が形成されていない場合には、特定周波数（具体的には４５００Ｈｚ程度の値）にピーク音圧が存在している。このピーク音圧は、音導管１６の共鳴により特定周波数において発生するものである。なお、このピーク音圧は、仮に音導管１６に音響フィルタ４４が設けられていないとすると、さらに大きな値となるが、実際には音響フィルタ４４が設けられているので、その値の低減が図られている。ただし、この音響フィルタ４４は、小音量での聴取時にも篭ったような音質にならないようにするため、比較的音響抵抗の小さいメッシュ材料で構成されているので、この音響フィルタ４４のみでは特定周波数におけるピーク音圧は完全には消滅していない。
【００８４】
一方、同図において太い実線のグラフで示すように、音響調整用の第２密閉空間Ｃ２が形成されている場合には、特定周波数におけるピーク音圧が消滅している。これは、音導管１６の音道１６ａと連通する第２密閉空間Ｃ２が、ピーク音圧を発生させる周波数成分を取り除くノッチフィルタとして機能することによるものである。そして、このように特定周波数におけるピーク音圧が消滅することにより、特定周波数の音のみが強調されて聴取音が耳障りな音になってしまうという不都合は解消されることとなる。
【００８５】
以上詳述したように、本実施形態に係る挿入型イヤホン１０は、そのレシーバ本体５０のハウジング５６に、該レシーバ本体５０の背面空間ＣＲをレシーバ本体５０の外部空間と連通させる小孔６６ａが形成されており、そして、このレシーバ本体５０は、その放音孔６４ａと小孔６６ａとを隔離する態様でガスケット３６に挿入固定されているので、背面空間ＣＲの弾性を弱めることができ、これによりダイヤフラム５２を動きやすくすることができる。
【００８６】
その際、本実施形態に係る挿入型イヤホン１０は、そのレシーバ本体５０と筐体２０との間に、小孔６６ａと連通するとともに音導管１６の音道１６ａとは隔離された背圧調整用の第１密閉空間Ｃ１が形成されているので、この第１密閉空間Ｃ１を、ダイヤフラム５２の動きを制限するための音響負荷として機能させることができる。そしてこれにより、低音域における音圧感度をある程度上昇させるようにした上で、最低共振周波数のずれおよびこの最低共振周波数における音圧レベルの低下を抑制することが可能となるので、メリハリのある音質を得ることができる。
【００８７】
このように本実施形態によれば、ＢＡ型レシーバを備えた挿入型イヤホン１０において、低音域における聴感上の音量感を十分に確保することができる。しかもこれを、高音域の周波数特性に影響を及ぼすことなく実現することができる。また、このような作用効果を、電気回路を使用せずに、レシーバユニット１２の音響要素を調整するだけで容易に得ることができる。
【００８８】
しかも本実施形態においては、第１密閉空間Ｃ１が、筐体２０内におけるレシーバ本体５０よりも基端部側に形成された第１主空間Ｃ１Ａと、レシーバ本体５０とガスケット３６との間において第１主空間Ｃ１Ａと小孔６６ａとを連通させるように形成された第１連通路Ｃ１Ｂとからなっているので、低音域における所定周波数未満の帯域では音圧感度を十分上昇させるようにした上で、低音域における所定周波数以上の帯域では音圧感度の上昇を抑制することができる。そしてこれにより、一層メリハリのある音質を得ることができる。
【００８９】
その際、第１連通路Ｃ１Ｂの断面積およびその長さを適宜調整するようにすれば、上記所定周波数の値を調整することができ、これにより所望の音質を得ることが容易に可能となる。
【００９０】
また本実施形態においては、レシーバ本体５０のハウジング５６に、放音孔６４ａを囲むようにして形成された放音ノズル５８が取り付けられており、そして、このレシーバ本体５０がガスケット３６に挿入固定されたとき、放音ノズル５８がガスケット３６の連通孔３６ｅに圧入される構成となっているので、レシーバ本体５０の放音孔６４ａと小孔６６ａとを隔離を、放音ノズル５８とガスケット３６との当接作用により容易かつ確実に行うことができる。具体的には、ガスケット３６の連通孔３６ｅが、レシーバ本体５０の先端部５８Ａの外径よりも僅かに小さい内径を有しているので、この連通孔３６ｅに放音ノズル５８の先端部５８Ａが圧入されることにより、連通孔３６ｅの内周面と先端部５８Ａの外周面とが密着して、放音孔６４ａと小孔６６ａとの隔離が確実に行われることとなる。
【００９１】
さらに本実施形態においては、筒状フレーム３２とガスケット３６との間に、音導管１６の音道１６ａと連通する音響調整用の第２密閉空間Ｃ２が形成されているので、この第２密閉空間Ｃ２を、ピーク音圧を発生させる周波数成分を取り除くノッチフィルタとして機能させることができる。そしてこれにより、音響フィルタを設けることを必要とせずに、ピーク音圧を低減させることができる。
【００９２】
ただし、本実施形態に係る挿入型イヤホン１０は、その音導管１６に音響フィルタ４４が設けられた構成となっている。このように第２密閉空間Ｃ２と音響フィルタ４４とが併用された構成とすることにより、音響フィルタ４４の弊害（すなわち小音量での聴取時に篭ったような音質になってしまうという弊害）を実質的に問題のないレベルまで抑えるとともに第２密閉空間Ｃ２の形成を容易化した上で、ピーク音圧の低減を図ることができる。
【００９３】
その際、第２密閉空間Ｃ２は、筒状フレーム３２の内周面とガスケット３６との間に形成された第２主空間Ｃ２Ａと、筒状フレーム３２の端面とガスケット３６の端面との間において第２主空間Ｃ２Ａと音道１６ａとを連通させるように形成された第２連通路Ｃ２Ｂとからなっているので、周波数成分の選択性を高めることができ、これによりノッチフィルタとして機能を高めることができる。
【００９４】
なお、上記実施形態に係る挿入型イヤホン１０は、背圧調整用の第１密閉空間Ｃ１および音響調整用の第２密閉空間Ｃ２のいずれもが形成されているものとして説明したが、このような構成とする代わりに、背圧調整用の第１密閉空間Ｃ１のみが形成されていて、音響調整用の第２密閉空間Ｃ２は形成されていない構成とすることも可能である。そして、このようにした場合においても、低音域における聴感上の音量感を十分に確保するとともに、十分にメリハリのある音質を得ることが可能である。あるいは、このような構成とする代わりに、音響調整用の第２密閉空間Ｃ２のみが形成されていて、背圧調整用の第１密閉空間Ｃ１は形成されていない構成とすることも可能である。このようにした場合においても、第２密閉空間Ｃ２を、ピーク音圧を発生させる周波数成分を取り除くノッチフィルタとして機能させることができる。
【図面の簡単な説明】
【００９５】
【図１】本願発明の一実施形態に係る挿入型イヤホンを示す側断面図
【図２】図１の要部詳細図
【図３】上記挿入型イヤホンをその主要構成要素に分解して示す分解斜視図
【図４】上記挿入型イヤホンのレシーバ本体がそのガスケットに挿入固定される際の様子を示す斜視図
【図５】上記レシーバ本体を単品で示す側断面図
【図６】上記挿入型イヤホンの作用を説明するための図であって、音圧レベル周波数特性を示す図（その１）
【図７】上記挿入型イヤホンの作用を説明するための図であって、音圧レベル周波数特性を示す図（その２）
【符号の説明】
【００９６】
１０  挿入型イヤホン
１２  レシーバユニット
１４  イヤーチップ
１６  音導管
１６ａ  音道
２０  筐体
２２  スペーサ
２４  フレキシブルプリント基板
２６  プラグ付ケーブル
２６ａ  結び目
２６ｂ  リード線
３２  筒状フレーム
３２ａ  小径円筒部
３２ｂ  端面
３２ｃ  基端部
３２ｄ  Ｕ字溝
３４  内筒部材
３４ａ  フランジ部
３６  ガスケット
３６Ａ  円筒部
３６Ｂ  端面壁
３６ａ  環状リブ
３６ｂ  切欠き部
３６ｃ  レシーバ本体収容部
３６ｄ  切欠き部
３６ｅ  連通孔
３６ｆ  凹溝
３６ｇ  端面リブ
３８  キャップ
４０  ケーブル引出し部材
４０Ａ  環状部
４０Ｂ  ケーブル収容部
４０ａ  突起部
４２  ワッシャ
４４  音響フィルタ
４６  両面テープ
５０  レシーバ本体
５２  ダイヤフラム
５４  駆動ユニット
５６  ハウジング
５８  放音ノズル
５８Ａ  先端部
５８Ｂ  基端部
６２  矩形フレーム
６４  トップハウジング
６４ａ  放音孔
６６  ボトムハウジング
６６ａ  小孔
６８  アーマチャ
７０  アーマチャフレーム
７２  ボビン
７４  マグネット
７６  磁性ホルダ
７８  励磁コイル
８０  連結片
８２  端子部材
ＣＦ  正面空間
ＣＲ  背面空間
Ｃ１  第１密閉空間
Ｃ１Ａ  第１主空間
Ｃ１Ｂ  第１連通路
Ｃ２  第２密閉空間
Ｃ２Ａ  第２主空間
Ｃ２Ｂ  第２連通路
【図１】
2008193449.tif 000003
【図２】
2008193449.tif 000004
【図３】
2008193449.tif 000005
【図４】
2008193449.tif 000006
【図５】
2008193449.tif 000007
【図６】
2008193449.tif 000008
【図７】
2008193449.tif 000009